(57)【要約】  【課題】照明器具の組み立て工程を簡略化し、製造コストを低減する。  【解決手段】円盤上の器具本体12の中央部に、安定器収納部24を設ける。安定器収納部24の開口部27を上に向けた状態で、上側から器具本体12に電気部品15を組み付け、安定器収納部24に安定器14を挿入し、ランプソケット体16を組み付ける。安定器収納部24に充填材58を充填して固め、安定器14を器具本体12に固着する。さらに、器具本体12に、上側からカバー17を被せ、ねじ止めする。照明器具10の組み立ての際に、重い器具本体10を逆さにする作業の必要がなく、一方向からの作業で照明器具10を組み立てでき、作業性を向上できる。  【選択図】図１
2005100717.tif 000002
【特許請求の範囲】
【請求項１】
一端に開口部を形成した安定器収納部を設けた器具本体と；
開口部から安定器収納部に挿入して収納された安定器と；
安定器の挿入方向と同方向から器具本体に取り付けられ安定器と電気的に接続される電気部品と；
安定器の挿入方向と同方向から器具本体に取り付けられるランプソケット体と；
安定器の挿入方向と同方向から安定器収納部に充填され安定器を固定する充填材と；
安定器の挿入方向と同方向から器具本体に取り付けられ器具本体を覆うカバーと；
を具備していることを特徴とする照明器具。
【請求項２】
器具本体は、基台部と、この基台部から一端側に突設され安定器収納部を構成する筒状の側板部とを備えた
ことを特徴とする請求項１記載の照明器具。
【請求項３】
ランプソケット体は、ランプが装着されるランプソケットと、ランプソケットの器具本体に対する位置を調整可能に器具本体に取り付けられるソケット取付台とを備えた
ことを特徴とする請求項１または２記載の照明器具。
【発明の詳細な説明】
【技術分野】
【０００１】
本発明は、安定器を器具本体に収納し充填材で固定した照明器具に関する。
【背景技術】
【０００２】
従来、安定器を器具本体に収納し樹脂で固定するとともに、器具本体の下部にランプホルダを連結した高天井用の照明器具が知られている(例えば、特許文献１及び特許文献２参照。)。そして、この種の照明器具は、例えば、略円筒状のケースである器具本体と、この器具本体の下側に取り付けられたランプホルダとを備えている。そして、器具本体は、例えば鋳物製で、上部が開口部とされるとともに、下部が底板部で閉塞されている。また、底板部の中央部からは、下側に向かい円筒状の外筒部が突設され、この外筒部の内側が、リード線挿通孔となっている。さらに、器具本体の内側には、安定器が収納されている。また、ランプホルダは、ランプが装着されるランプソケットを備えている。そして、このランプソケットから上側に突設された内筒部が、器具本体の外筒部に嵌め込まれてねじにて固定され、さらに、このねじ止め部分の隙間はシール材にてシールされている。また、器具本体の上部には、電源ボックスが取り付けられ、この電源ボックスには、端子台や力率改善用コンデンサなどが取り付けられている。そして、安定器の端子部に、リード線挿通孔を介してランプソケットから引き出されたリード線と、力率改善用コンデンサから引き出されたリード線とを接続した状態で、器具本体内に充填された樹脂により、安定器が固定されている。さらに、この照明器具は、安定器及び力率改善用コンデンサに接続されたリード線を端子台に接続し、電源ボックスを器具本体にねじなどにて結合して構成されている。
【特許文献１】特開２０００−４８６３５号公報
【特許文献２】特開２０００−２８５７２５号公報
【発明の開示】
【発明が解決しようとする課題】
【０００３】
しかしながら、上記従来の構成では、製造工程において、器具本体に複数の方向から部品を取り付ける作業が必要で、ランプソケット及びホルダ部を取り付ける際に、据わりが悪く重い筒状のケース本体を逆さにし、組付けまた元に戻すなどの作業が必要で、その際、バランスの悪い状態で、安定器他部分の挿入・組付け、配線、樹脂充填を行わなければならず、作業性が悪く、工数が多く、製造コストの低減が困難である問題を有している。
【０００４】
本発明は、このような点に鑑みなされたもので、製造工程を簡略化でき、作業性を向上して製造コストを低減できる照明器具を提供することを目的とする。
【課題を解決するための手段】
【０００５】
請求項１記載の照明器具は、一端に開口部を形成した安定器収納部を設けた器具本体と；開口部から安定器収納部に挿入して収納された安定器と；安定器の挿入方向と同方向から器具本体に取り付けられ安定器と電気的に接続される電気部品と；安定器の挿入方向と同方向から器具本体に取り付けられるランプソケット体と；安定器の挿入方向と同方向から安定器収納部に充填され安定器を固定する充填材と；安定器の挿入方向と同方向から器具本体に取り付けられ器具本体を覆うカバーと；を具備しているものである。
【０００６】
そして、この構成では、器具本体に対し同一の方向からの作業で照明器具を組み立てでき、器具本体に複数の方向から部品を組み付ける構成に比べ、工数を削減し、作業性を向上して、製造コストが低減される。
【０００７】
請求項２記載の照明器具は、請求項１記載の照明器具において、器具本体は、基台部と、この基台部から一端側に突設され安定器収納部を構成する筒状部とを備えたものである。
【０００８】
そして、この構成では、基台部を適宜の台上に安定して載置した状態で照明器具が組み立てされ、作業性を向上して、製造コストが低減される。
【０００９】
請求項３記載の照明器具は、請求項１または２記載の照明器具において、ランプソケット体は、ランプが装着されるランプソケットと、ランプソケットの器具本体に対する位置を調整可能に器具本体に取り付けられるソケット取付台とを備えたものである。
【００１０】
そして、この構成では、ランプの種類に応じてランプソケットの位置が調整可能になり、汎用性が向上する。
【発明の効果】
【００１１】
請求項１記載の照明器具によれば、器具本体に対し同一の方向からの作業で照明器具を組み立てでき、器具本体に複数の方向から部品を組み付ける構成に比べ、工数を削減し、作業性を向上して、製造コストを低減できる。
【００１２】
請求項２記載の照明器具によれば、請求項１記載の効果に加え、基台部を適宜の台上に安定して載置した状態で照明器具を組み立てでき、作業性を向上して、製造コストを低減できる。
【００１３】
請求項３記載の照明器具によれば、請求項１または２記載の効果に加え、ランプの種類に応じてランプソケットの位置を調整し、汎用性を向上できる。
【発明を実施するための最良の形態】
【００１４】
以下、本発明の照明器具の一実施の形態を図面を参照して説明する。
【００１５】
図１は本発明の照明器具の一実施の形態を示す一部を切り欠いた組み立て状態の説明図である。図２は同上照明器具の使用状態を示す側面図である。図３は同上照明器具の組み立て状態の平面の説明図である。図４は同上照明器具の器具本体の斜視図である。図５は同上照明器具の器具本体の斜視図である。図６は同上照明器具のランプソケット体の斜視図である。図７は同上照明器具のカバーの斜視図である。
【００１６】
図２において、10は照明器具で、この照明器具10は、例えば高所の天井11などに取り付けられるＨＩＤ照明器具であり、図１ないし図７に示すように、器具本体12と、この器具本体12に取り付けられた安定器14、電気部品15、ランプソケット体16、及びカバー17などを備えている。また、器具本体12は、取付金具18により天井11に取り付けられ、天井11内に配設された配線から供給される電力により、安定器14及び電気部品15で構成される点灯回路を駆動し、ランプソケット体16に装着されたメタルハライドランプ、水銀ランプなどの放電ランプであるランプＬを点灯するようになっている。さらに、図２に波線で示すように、カバー17には、下面を照射開口としランプＬを内包する椀形の反射笠19を取り付けることもできる。
【００１７】
なお、図２においては、ランプＬが下方に向いた使用状態を示しているが、以下の説明及び図１、図３ないし図６においては、組み立て工程を示すために図１とは上下を反対にした状態で説明する。
【００１８】
まず、器具本体12は、安定器取付ケース台とも呼びうるもので、例えば、金属製の鋳物で、アルミダイキャストで一体に形成されている。そして、器具本体12は、略円板状の基板部21を備え、この基板部21の外周部には、円筒状の外縁部22が形成されて略円盤状の基台部23が構成されているとともに、略中央部、すなわち基板部21の上下方向に伸びる中心軸Ｏを含む位置には、安定器収納部24が形成されている。この安定器収納部24は、略矩形筒状の側板部25と、基板部21より低い位置に設けられた底板部26とを備えた有底筒状で、一端である上端(使用状態における下端)に開口部27が形成されている。さらに、この安定器収納部24の側板部25には、図４に示すように、ランプソケット取付受部31が形成され、このランプソケット取付受部31は、側板部25の外側に突設され上下方向を長手方向として形成された突条部32と、側板部25の上端部近傍に形成された固着受部であるねじ孔33とが、中心軸Ｏを中心とする回転対称の位置に対をなして形成されている。また、外縁部22と側板部25との間の基板部21は、部品取付部となり、本実施の形態では、基板部21を上下に貫通する挿通部35とこの挿通部35の上側を覆う覆い部36とを形成した端子台取付部37などが形成されている。さらに、器具本体12には、金具取付部40が形成されている。そして、本実施の形態では、金具取付部40は、外縁部22の一側部から外側方に延設され、さらに上方に突設され、さらに若干内側方に突設された第１の取付腕部41と、この第１の取付腕部41の反対側に位置し、外縁部22から下方に突設された第２の取付腕部42とを備えている。また、この第２の取付腕部42には、両側一対の引掛受部42aと、固着具であるねじ43が挿入される溝状の固着受部42bが形成されている。
【００１９】
また、ランプソケット体16は、ソケット取付台44と、このソケット取付台44に取り付けられたランプソケット45とを備えている。そして、ソケット取付台44は、例えば金属板を折曲して形成された取付金具であり、図６に示すように、水平な基部47と、この基部47の両側から下方に延設された一対の脚片部48とを備えている。また、基部47には、ランプソケット45が取り付けられ、各脚片部48には、ソケット側取付部50が形成されている。そしてソケット側取付部50は、脚片部48に上下方向を長手方向として形成された溝部52と、この溝部52に沿った位置に所定間隔で形成された固着部である複数の取付孔53とが、回転対称の位置に対をなして形成されている。また、ランプソケット45は、陶器など絶縁性の部材で形成された円筒状のソケット本体55と、このソケット本体55に取り付けられた図示しない電極部とを備えており、ランプソケット体16を器具本体12に取り付けた状態で、ランプソケット45の中心軸すなわちこのランプソケット45に装着したランプＬの中心軸が、器具本体12の中心軸Ｏに略一致するようになっている。さらに、ランプソケット45の底側からは、一対のリード線57が導出されている。
【００２０】
また、電気部品15とともに点灯装置を構成する安定器14は、いわゆるチョークコイルである放電灯安定器であり、図３に示すように、積層鉄心14a、この積層鉄心14aに組み合わされたコイル14b、及び端子部14cなどが設けられている。そして、この安定器14は、他の電気部品15やランプソケット45にリード線57で電気的に接続されるとともに、安定器収納部24に収納され、樹脂である充填材58により固定されている。また、電気部品15は、端子台61及び力率を改善するコンデンサ62などを備え、互いにリード線57で電気的に接続されるとともに、端子台61は端子台取付部37に配置され、また、コンデンサ62は、安定器収納部24を挟んで反対側に配置され、それぞれねじなどの固着具62aなどを用いて基板部21に固定されている。
【００２１】
また、カバー17は、ランプホルダ取付台とも呼びうるもので、金属あるいは樹脂などにて筒状に形成され、器具本体12及び器具本体12に取り付けられた電気部品15などを覆う本体カバー部65と、この本体カバー部65の上側に連続して突設されランプソケット体16の側方を覆うソケットカバー部66とを備えている。そして、本体カバー部65は、器具本体12の外縁部22の外周側に嵌合し、ねじなどの固着具で器具本体12に固定される。また、この本体カバー部65には、器具本体12の金具取付部40との干渉を避ける切欠部67が形成されている。また、ソケットカバー部66は、互いに径寸法の異なる円筒を上下に接続した形状をなし、先端部には、ランプＬが挿通する開口68が形成されているとともに、外周部には、互いに径寸法が異なる複数の円板状の複数の放熱フィン69が上下方向に所定間隔で突設されている。さらに、このソケットカバー部66の内側には、図１に示すように、ランプソケット体16のソケット取付台44に当接し、また、ランプソケット45の側方に当接あるいは対向して、これらソケット取付台44及びランプソケット45を位置決めする位置決め部70が突設して形成されている。
【００２２】
さらに、取付金具18は、例えば金属板を折曲して形成され、図２に示すように、矩形板状の基板部71と、この基板部71の長手方向に沿った両側部がそれぞれ上側に折曲された側板部72と、基板部71の長手方向の両端部がそれぞれ上側に折曲された端板部73とを備えている。そして、基板部71には、天井11のボルトなどの構造物に固定するための取付孔や、電線を挿通するための通孔などが形成されている。また、一端の端板部73は、上側に延設され、器具本体12の第１の取付腕部41を係合して保持する矩形状の孔部を設けた第１の保持部75が形成されている。一方、他端の端板部73には、第２の取付腕部42の引掛受部42aを係合して保持する引掛部77a及び固着具であるねじが螺合して固着されるねじ孔である固着部77bを設けた第２の保持部77が形成されている。
【００２３】
次に、この照明器具10の組み立て工程を説明する。
【００２４】
まず、適宜の作業台に、安定器収納部24の開口部27を上に向けて器具本体12を載置する。
【００２５】
この状態で、上側から(図１に示す矢印Ａ方向)の作業により、器具本体12に点灯装置を取り付ける。すなわち、端子台61は端子台取付部37に側方から挿入してねじ止めして固定し、コンデンサ62も、上側から配置しねじ止めにより基板部21に固定する。次いで、これら端子台61及びコンデンサ62と、安定器14及びランプソケット45とを、リード線57で電気的に接続し、安定器14を安定器収納部24に上側から挿入する。
【００２６】
次いで、ランプソケット体16を器具本体12に固定する。すなわち、ランプソケット45を取り付けたソケット取付台44を、突条部32と溝部52との係合を案内として、安定器収納部24の外側に上側から嵌合し、いずれかの取付孔53を介してねじ孔33にねじを螺合して締め付け、装着するランプＬなどに対応した所望の高さ位置でランプソケット45を固定する。
【００２７】
次いで、樹脂である充填材58を上側から安定器収納部24に充填し、固化させて、安定器14を器具本体12に固着する。
【００２８】
次いで、これら安定器14やランプソケット体16などの部品を取り付けた器具本体12に、上側からカバー17を被せ、ねじで固定することにより、いわば安定器付きランプホルダを具備した照明器具10が構成される。
【００２９】
また、この照明器具10は、あらかじめ天井11に取り付けた取付金具18を用いて、天井11に設置される。すなわち、まず、器具本体12の第１の取付腕部41を取付金具18の第１の保持部75に挿入して引っ掛ける。この状態で、照明器具10は回動可能に仮保持され、電線の接続作業などを行う。次いで、照明器具10を回動するとともにスライドさせ、器具本体12の一対の引掛受部42aを第２の保持部77の一対の引掛部77aに係合するとともに、第２の取付腕部42の固着受部42bを介して固着部77bにねじ43を螺合して締め付けることにより、照明器具10が天井11に取り付けられる。
【００３０】
このように、本実施の形態によれば、照明器具10の組み立て作業について、器具本体10に同一方向である上方から部品を順次組み付けて作業でき、据わりが悪く重い筒状のケースを逆さにしあるいは元に戻すなどの作業が必要なく、器具本体10を略円盤上の基台部23を略水平とした据わりの良い状態に載置して作業できる。このように、一方向からの取付構造を実現したため、工数を削減し、製造に要する時間を短縮し、すなわち作業性を向上して製造工程を簡略化でき、製造コストを容易に低減できる。
【００３１】
また、ランプソケット体16のソケット取付台44は、簡略な構成でランプＬの種類に応じてランプソケット45の位置が調整可能になっており、汎用性を向上し、製造コストを低減できる。
【００３２】
また、器具本体12の安定器収納部24には、リード線57を挿通させる挿通孔を底部に形成する必要がなく、充填材58の漏れを防ぐシール部材を用いる必要もなくなり、製造コストを低減できる。
【００３３】
なお、上記の実施の形態では、リード線57を配線し、ランプソケット体16を器具本体12に固定した後に、安定器収納部24に充填材58を充填して安定器14を固定したが、この構成に限られず、例えば、安定器収納部24に充填材58を充填して安定器14を固定した後に、リード線57を配線し、ランプソケット体16を器具本体12に固定することもできる。
【００３４】
また、ランプソケット体16には、安定器収納部24に収納した安定器14に当接して位置決めする当接部を設けることもできる。
【００３５】
また、カバー17のソケットカバー部66は、複数の間隙を設けたガード体とすることもできる。
【００３６】
また、照明器具10は、取付金具18を用いて天井11に直付けする他、昇降装置を用いて昇降可能に設置することもできる。
【産業上の利用可能性】
【００３７】
本発明の照明器具は、例えば、施設照明用などの高天井用の照明器具として用いられる。
【図面の簡単な説明】
【００３８】
【図１】本発明の照明器具の一実施の形態を示す一部を切り欠いた組み立て状態の側面の説明図である。
【図２】同上照明器具の使用状態を示す側面図である。
【図３】同上照明器具の組み立て状態の平面の説明図である。
【図４】同上照明器具の器具本体の斜視図である。
【図５】同上照明器具の器具本体の斜視図である。
【図６】同上照明器具のランプソケット体の斜視図である。
【図７】同上照明器具のカバーの斜視図である。
【符号の説明】
【００３９】
10    照明器具
12    器具本体
14    安定器
15    電気部品
16    ランプソケット体
17    カバー
23    基台部
24    安定器収納部
25    側板部
27    開口部
44    ソケット取付台
45    ランプソケット
58    充填材
Ｌ    ランプ
【図１】
2005100717.tif 000003
【図２】
2005100717.tif 000004
【図３】
2005100717.tif 000005
【図４】
2005100717.tif 000006
【図５】
2005100717.tif 000007
【図６】
2005100717.tif 000008
【図７】
2005100717.tif 000009